(57)【要約】【課題】複雑な回路実装を必要とせず、かつ、コンテンツをダウンロードして取得する際の処理負荷が増加させることなく、リムーバブル記録メディアに記録されたコンテンツのパレンタル制御が可能な視聴制限装置、視聴制限方法および視聴制限プログラムを提供する。【解決手段】視聴制限装置は、コンテンツ取得処理手段で取得処理したコンテンツを付属情報と共にメディアに記録する一方で、表示制限情報保持手段において該付属情報に含まれる制限用情報と該メディアのメディアＩＤを制限用情報テーブルに登録し、ユーザにより表示条件設定手段に設定された表示可否条件と、登録されている制限用情報を比較することで、表示手段におけるコンテンツの表示の可否を判断する。さらに、メディアが差し替えられると、新たなメディアのメディアＩＤと登録されているメディアＩＤを比較し、両メディアＩＤが異なる場合は登録されている制限用情報テーブルを削除する。【選択図】図１
2011097211.tif 000002
【特許請求の範囲】
【請求項１】
ネットワーク上のサーバから取得してリムーバブル記録メディア（以下、メディアと称す）に記録したコンテンツの視聴制限を行う視聴制限装置であって、
前記サーバから取得した前記コンテンツおよび前記コンテンツに関連するコンテンツ付属情報を処理し、前記メディアに記録するコンテンツ取得処理手段と、
前記視聴制限に用いられる情報であって、前記コンテンツ付属情報に含まれる視聴制限用情報を、不揮発性領域に保持する表示制限情報保持手段と、
ユーザにより前記コンテンツの表示可否条件が設定される表示条件設定手段と、
前記メディアに記録された前記コンテンツ毎の前記視聴制限用情報と前記表示可否条件とに基づいて、前記コンテンツ毎に表示の可否を判断する表示手段と、
を備えたことを特徴とする視聴制限装置。
【請求項２】
前記メディアを格納するメディア格納手段と、
所定のタイミング毎に、前記メディアが前記メディア格納手段に格納されているか否かを確認し、前記メディアが格納されていることを確認すると、格納されている前記メディアのメディア識別情報（ロ）を前記表示制限情報保持手段に通知するメディア状態確認手段とをさらに備え、
前記表示制限情報保持手段は、前記視聴制限用情報を前記コンテンツのコンテンツ識別情報および前記コンテンツが記録された前記メディアのメディア識別情報（イ）と関連付けたテーブルとして不揮発性領域に保持し、前記メディア状態確認手段から前記メディア識別情報（ロ）を受け取ると、保持している前記メディア識別情報（イ）と前記メディア識別情報（ロ）とを比較し、両者が一致しない場合には、前記不揮発性領域に保持されている前記テーブルを削除することを特徴とする請求項１記載の視聴制限装置。
【請求項３】
前記所定のタイミングは、前記メディアの前記メディア格納手段への格納時、または、自装置における電源遮断後の電源再起動時であることを特徴とする請求項２記載の視聴制限装置。
【請求項４】
前記視聴制限用情報には年齢情報を含み、前記表示条件設定手段において設定される表示可否条件として年齢情報の設定が可能であることを特徴とする請求項１または２記載の視聴制限装置。
【請求項５】
ネットワーク上のサーバから取得してリムーバブル記録メディア（以下、メディアと称す）に記録したコンテンツの視聴制限を行う視聴制限方法であって、
前記サーバから取得した前記コンテンツおよび前記コンテンツに関連するコンテンツ付属情報を処理し、前記メディアに記録するコンテンツ取得処理ステップと、
前記視聴制限に用いられる情報であって、前記コンテンツ付属情報に含まれる視聴制限用情報を、不揮発性領域に保持する表示制限情報保持ステップと、
ユーザにより前記コンテンツの表示可否条件が設定される表示条件設定ステップと、
前記メディアに記録された前記コンテンツ毎の前記視聴制限用情報と前記表示可否条件とに基づいて、前記コンテンツ毎に表示の可否を判断する表示ステップと、
を備えたことを特徴とする視聴制限方法。
【請求項６】
前記メディアを格納するメディア格納ステップと、
所定のタイミング毎に、前記メディア格納ステップにおいて前記メディアが格納されているか否かを確認し、前記メディアが格納されていることを確認すると、格納されている前記メディアのメディア識別情報（ロ）を前記表示制限情報保持ステップに通知するメディア状態確認ステップとをさらに備え、
前記表示制限情報保持ステップは、前記視聴制限用情報を前記コンテンツのコンテンツ識別情報および前記コンテンツが記録された前記メディアのメディア識別情報（イ）と関連付けたテーブルとして不揮発性領域に保持し、前記メディア状態確認ステップから前記メディア識別情報（ロ）が通知されると、保持している前記メディア識別情報（イ）と前記メディア識別情報（ロ）とを比較し、両者が一致しない場合には、前記不揮発性領域に保持されている前記テーブルを削除することを特徴とする請求項５記載の視聴制限方法。
【請求項７】
前記所定のタイミングは、前記メディア格納ステップにおける前記メディアの格納時、または、自装置における電源遮断後の電源再起動時であることを特徴とする請求項６記載の視聴制限方法。
【請求項８】
前記視聴制限用情報には年齢情報を含み、前記表示条件設定ステップにおいて設定される表示可否条件として年齢情報の設定が可能であることを特徴とする請求項５または６記載の視聴制限方法。
【請求項９】
ネットワーク上のサーバから取得してリムーバブル記録メディア（以下、メディアと称す）に記録したコンテンツの視聴制限を行う視聴制限方法を実現する視聴制限プログラムであって、
前記サーバから取得した前記コンテンツおよび前記コンテンツに関連するコンテンツ付属情報を処理し、前記メディアに記録するコンテンツ取得処理ステップと、
前記視聴制限に用いられる情報であって、前記コンテンツ付属情報に含まれる視聴制限用情報を、不揮発性領域に保持する表示制限情報保持ステップと、
ユーザにより前記コンテンツの表示可否条件が設定される表示条件設定ステップと、
前記メディアに記録された前記コンテンツ毎の前記視聴制限用情報と前記表示可否条件とに基づいて、前記コンテンツ毎に表示の可否を判断する表示ステップと、
を備えたことを特徴とする視聴制限プログラム。
【請求項１０】
前記メディアを格納するメディア格納ステップと、
所定のタイミング毎に、前記メディア格納ステップにおいて前記メディアが格納されているか否かを確認し、前記メディアが格納されていることを確認すると、格納されている前記メディアのメディア識別情報（ロ）を前記表示制限情報保持ステップに通知するメディア状態確認ステップとをさらに備え、
前記表示制限情報保持ステップは、前記視聴制限用情報を前記コンテンツのコンテンツ識別情報および前記コンテンツが記録された前記メディアのメディア識別情報（イ）と関連付けたテーブルとして不揮発性領域に保持し、前記メディア状態確認ステップから前記メディア識別情報（ロ）が通知されると、保持している前記メディア識別情報（イ）と前記メディア識別情報（ロ）とを比較し、両者が一致しない場合には、前記不揮発性領域に保持されている前記テーブルを削除することを特徴とする請求項９記載の視聴制限プログラム。
【請求項１１】
前記所定のタイミングは、前記メディア格納ステップにおける前記メディアの格納時、または、自装置における電源遮断後の電源再起動時であることを特徴とする請求項１０記載の視聴制限プログラム。
【請求項１２】
前記視聴制限用情報には年齢情報を含み、前記表示条件設定ステップにおいて設定される表示可否条件として年齢情報の設定が可能であることを特徴とする請求項９または１０記載の視聴制限プログラム。
【発明の詳細な説明】
【技術分野】
【０００１】
本発明は、視聴制限コンテンツを表示制限する装置、視聴制限コンテンツを表示制限する方法および視聴制限コンテンツを表示制限するプログラムに関するものである。
【背景技術】
【０００２】
近年、インターネットへの接続が可能なＨＤＤ（Ｈａｒｄ  Ｄｉｓｋ  Ｄｒｉｖｅ）レコーダ等の家庭用機器から、インターネットを介してコンテンツ配信事業者のサーバにアクセスを行い、コンテンツ配信事業者が提供する映画やドラマなどの多種多様なコンテンツの中から所望のコンテンツを選択して購入し、購入したコンテンツをダウンロード（ＤＬ）してレコーダに内蔵されたＨＤＤなどの固定記録メディアに蓄積し、視聴することが可能なコンテンツ配信サービスが実現されている。
【０００３】
しかし、このようなコンテンツ配信サービスにおいて取り扱われる多種多様なコンテンツの中には、倫理的な観点から、視聴者属性に従って視聴を制限されているものも存在する。例えば、成人Ｒ指定映画や成人Ｘ指定映画等、年齢によって視聴制限されているものがある。
【０００４】
このように、視聴者の年齢等に応じて視聴が制限されるコンテンツをパレンタルコンテンツと呼び、視聴を制限するために用いられる視聴者の属性情報（例えば、年齢、国籍、性別）をパレンタル情報と呼び、さらに、パレンタルコンテンツに対するパレンタル情報を用いた視聴制限処理をパレンタル制御と呼ぶ。
【０００５】
このようなパレンタルコンテンツを表示制限する従来の方法については、例えば、特許文献１や特許文献２に開示されている。
【０００６】
また、コンテンツ配信サービスにおいては、固定記録メディアに対してだけではなく、Ｂｌｕ−ｒａｙディスク（以下、ＢＤと称す）やＳＤカードなどのリムーバブル記録メディアに対しても、コンテンツを記録して視聴できるようにすることが望ましい。
【０００７】
このようにすることにより、例えば、記録メディアとしてＨＤＤを持たずに、ダウンロードしたコンテンツをＢＤやＳＤカードに直接記録するようなレコーダ機器であっても、コンテンツ配信サービスを利用することが可能となるが、このようなリムーバブル記録メディアにコンテンツを記録する場合においても、適切なパレンタル制御を行う必要がある。
【０００８】
例えば、成人が、翌朝の起床前にダウンロードが完了することを見込んで、就寝前にリビングに設置されているレコーダ機器内のＳＤカードに対して、所望の成人Ｘ指定映画のダウンロードの開始をセットし、翌朝、レコーダ機器からＳＤカードを取り出すつもりが、取り出すことを忘れてしまった、あるいは、取り出す前に非成人がＳＤカード内に記録されたコンテンツを視聴してしまったといったことで、非成人にとって不適切なコンテンツの視聴が可能な状態になってしまうようなケースを防ぐ必要がある。
【０００９】
このような課題に対して、特許文献３においては、コンテンツデータを一度デコードした後に再エンコードして記録をしても、パレンタル情報が失われないようにするために、パレンタル情報をＡＶ（Ａｕｄｉｏ  ａｎｄ  Ｖｉｓｕａｌ）ストリーム内に多重化して記録する方法が開示されている。この方法によれば、パレンタルコンテンツをダウンロードした後に、リムーバブル記録メディアに直接記録する場合でも、パレンタル制御を実現することができる。
【先行技術文献】
【特許文献】
【００１０】
【特許文献１】特開２００８−４２８１１号公報
【特許文献２】特開平０８−３３９６６４号公報
【特許文献３】国際公開第２００４／０４５２０７号
【発明の概要】
【発明が解決しようとする課題】
【００１１】
しかしながら、特許文献３に開示されている従来の方法を用いて、リムーバブル記録メディアに記録したコンテンツに対してパレンタル情報の保持を行う場合、パレンタル情報を付与するための処理として、ＡＶストリーム多重化などの処理を行う必要があるため、従来に比べて、複雑な回路実装を必要としたり、コンテンツをダウンロードして取得する時の処理負荷が増加するといった課題があった。
【００１２】
一方で、リムーバブル記録メディアの場合には、固定記録メディアとは異なり、機器からメディアを物理的に取り除くことにより、非成人の不適切な視聴を回避することが可能であるので、このようなリムーバブル記録メディアの特徴を活かして、処理負荷の増加に繋がるパレンタル情報付与の処理を伴わない、適切なパレンタル制御を実現することが望ましい。
【００１３】
本発明は、このような課題に鑑みてなされたものであり、処理負荷を増加させることなく、リムーバブル記録メディアに記録されたコンテンツのパレンタル制御が可能な視聴制限装置、視聴制限方法および視聴制限プログラムを提供することを目的とする。
【課題を解決するための手段】
【００１４】
上記目的を達成するために、本願の第１の発明の視聴制限装置は、ネットワーク上のサーバから取得してリムーバブル記録メディア（以下、メディアと称す）に記録したコンテンツの視聴制限を行う視聴制限装置であって、前記サーバから取得した前記コンテンツおよび前記コンテンツに関連するコンテンツ付属情報を処理し、前記メディアに記録するコンテンツ取得処理手段と、前記視聴制限に用いられる情報であって、前記コンテンツ付属情報に含まれる視聴制限用情報を、不揮発性領域に保持する表示制限情報保持手段と、ユーザにより前記コンテンツの表示可否条件が設定される表示条件設定手段と、前記メディアに記録された前記コンテンツ毎の前記視聴制限用情報と前記表示可否条件とに基づいて、前記コンテンツ毎に表示の可否を判断する表示手段と、を備えたことを特徴とするものである。
【００１５】
また、本願の第２の発明の視聴制限装置は、本願の第１の発明の視聴制限装置において、前記メディアを格納するメディア格納手段と、所定のタイミング毎に、前記メディアが前記メディア格納手段に格納されているか否かを確認し、前記メディアが格納されていることを確認すると、格納されている前記メディアのメディア識別情報（ロ）を前記表示制限情報保持手段に通知するメディア状態確認手段とをさらに備え、前記表示制限情報保持手段は、前記視聴制限用情報を前記コンテンツのコンテンツ識別情報および前記コンテンツが記録された前記メディアのメディア識別情報（イ）と関連付けたテーブルとして不揮発性領域に保持し、前記メディア状態確認手段から前記メディア識別情報（ロ）を受け取ると、保持している前記メディア識別情報（イ）と前記メディア識別情報（ロ）とを比較し、両者が一致しない場合には、前記不揮発性領域に保持されている前記テーブルを削除することを特徴とするものである。
【００１６】
また、本願の第３の発明の視聴制限装置は、本願の第２の発明の視聴制限装置において、前記所定のタイミングは、前記メディアの前記メディア格納手段への格納時、または、自装置における電源遮断後の電源再起動時であることを特徴とするものである。
【００１７】
また、本願の第４の発明の視聴制限装置は、本願の第１または第２の発明の視聴制限装置において、前記視聴制限用情報には年齢情報を含み、前記表示条件設定手段において設定される表示可否条件として年齢情報の設定が可能であることを特徴とするものである。
【００１８】
また、本願の第５の発明の視聴制限方法は、ネットワーク上のサーバから取得してリムーバブル記録メディア（以下、メディアと称す）に記録したコンテンツの視聴制限を行う視聴制限方法であって、前記サーバから取得した前記コンテンツおよび前記コンテンツに関連するコンテンツ付属情報を処理し、前記メディアに記録するコンテンツ取得処理ステップと、前記視聴制限に用いられる情報であって、前記コンテンツ付属情報に含まれる視聴制限用情報を、不揮発性領域に保持する表示制限情報保持ステップと、ユーザにより前記コンテンツの表示可否条件が設定される表示条件設定ステップと、前記メディアに記録された前記コンテンツ毎の前記視聴制限用情報と前記表示可否条件とに基づいて、前記コンテンツ毎に表示の可否を判断する表示ステップと、を備えたことを特徴とするものである。
【００１９】
また、本願の第６の発明の視聴制限方法は、本願の第５の発明の視聴制限方法において、前記メディアを格納するメディア格納ステップと、所定のタイミング毎に、前記メディア格納ステップにおいて前記メディアが格納されているか否かを確認し、前記メディアが格納されていることを確認すると、格納されている前記メディアのメディア識別情報（ロ）を前記表示制限情報保持ステップに通知するメディア状態確認ステップとをさらに備え、前記表示制限情報保持ステップは、前記視聴制限用情報を前記コンテンツのコンテンツ識別情報および前記コンテンツが記録された前記メディアのメディア識別情報（イ）と関連付けたテーブルとして不揮発性領域に保持し、前記メディア状態確認ステップから前記メディア識別情報（ロ）が通知されると、保持している前記メディア識別情報（イ）と前記メディア識別情報（ロ）とを比較し、両者が一致しない場合には、前記不揮発性領域に保持されている前記テーブルを削除することを特徴とするものである。
【００２０】
また、本願の第７の発明の視聴制限方法は、本願の第６の発明の視聴制限方法において、前記所定のタイミングは、前記メディア格納ステップにおける前記メディアの格納時、または、自装置における電源遮断後の電源再起動時であることを特徴とするものである。
【００２１】
また、本願の第８の発明の視聴制限方法は、本願の第５または第６の発明の視聴制限方法において、前記視聴制限用情報には年齢情報を含み、前記表示条件設定ステップにおいて設定される表示可否条件として年齢情報の設定が可能であることを特徴とするものである。
【００２２】
また、本願の第９の発明の視聴制限プログラムは、ネットワーク上のサーバから取得してリムーバブル記録メディア（以下、メディアと称す）に記録したコンテンツの視聴制限を行う視聴制限方法を実現する視聴制限プログラムであって、前記サーバから取得した前記コンテンツおよび前記コンテンツに関連するコンテンツ付属情報を処理し、前記メディアに記録するコンテンツ取得処理ステップと、前記視聴制限に用いられる情報であって、前記コンテンツ付属情報に含まれる視聴制限用情報を、不揮発性領域に保持する表示制限情報保持ステップと、ユーザにより前記コンテンツの表示可否条件が設定される表示条件設定ステップと、前記メディアに記録された前記コンテンツ毎の前記視聴制限用情報と前記表示可否条件とに基づいて、前記コンテンツ毎に表示の可否を判断する表示ステップと、を備えたことを特徴とするものである。
【００２３】
また、本願の第１０の発明の視聴制限プログラムは、本願の第９の発明の視聴制限プログラムにおいて、前記メディアを格納するメディア格納ステップと、所定のタイミング毎に、前記メディア格納ステップにおいて前記メディアが格納されているか否かを確認し、前記メディアが格納されていることを確認すると、格納されている前記メディアのメディア識別情報（ロ）を前記表示制限情報保持ステップに通知するメディア状態確認ステップとをさらに備え、前記表示制限情報保持ステップは、前記視聴制限用情報を前記コンテンツのコンテンツ識別情報および前記コンテンツが記録された前記メディアのメディア識別情報（イ）と関連付けたテーブルとして不揮発性領域に保持し、前記メディア状態確認ステップから前記メディア識別情報（ロ）が通知されると、保持している前記メディア識別情報（イ）と前記メディア識別情報（ロ）とを比較し、両者が一致しない場合には、前記不揮発性領域に保持されている前記テーブルを削除することを特徴とするものである。
【００２４】
また、本願の第１１の発明の視聴制限プログラムは、本願の第１０の発明の視聴制限プログラムにおいて、前記所定のタイミングは、前記メディア格納ステップにおける前記メディアの格納時、または、自装置における電源遮断後の電源再起動時であることを特徴とするものである。
【００２５】
また、本願の第１２の発明の視聴制限プログラムは、本願の第９または第１０の発明の視聴制限プログラムにおいて、前記視聴制限用情報には年齢情報を含み、前記表示条件設定ステップにおいて設定される表示可否条件として年齢情報の設定が可能であることを特徴とするものである。
【発明の効果】
【００２６】
本発明によれば、複雑な回路実装やダウンロードによりコンテンツを取得する際の処理負荷の増加を伴うことなく、リムーバブル記録メディアに記録されているコンテンツに対するパレンタル制御を実現する視聴制限装置、視聴制限方法および視聴制限プログラムを提供することが可能である。
【図面の簡単な説明】
【００２７】
【図１】本発明の実施の形態１に係る視聴制限装置の構成を示すブロック図
【図２】本発明の実施の形態１における制限用情報テーブルの構成の一例を示す図
【図３】本発明の実施の形態１に係る視聴制限装置の処理動作を示す図
【図４】本発明の実施の形態１に係る視聴制限装置においてＳＤカードが取り外された後、再び同一のＳＤカードが挿入された場合の処理動作を示す図
【図５】本発明の実施の形態１に係る視聴制限装置において複数のパレンタルＡＶファイルをダウンロードしてＳＤカードに記録した後のパレンタル制御の処理動作を示す図
【図６】本発明の実施の形態１における制限用情報テーブルの構成の他の例を示す図
【発明を実施するための形態】
【００２８】
以下に、本発明を実施するための形態について、図面を参照しながら説明する。
【００２９】
（実施の形態１）
図１は、本発明の実施の形態１に係る視聴制限装置の構成を示すブロック図である。
【００３０】
図１において、本発明の実施の形態１に係る視聴制限装置１００は、例えば、ＳＤカードスロットを有するレコーダ機器であり、ネットワークＩ／Ｆ１０１、コンテンツ取得処理手段１０２、メディア格納手段（図示せず）に格納されるＳＤカード１０３、表示制限情報保持手段１０４、表示手段１０５、メディア状態確認手段１０６および表示条件設定手段１０７を備えている。
【００３１】
ネットワークＩ／Ｆ１０１は、インターネット（図示せず）を介してコンテンツを提供するコンテンツサーバ（図示せず）と通信を行い、コンテンツサーバから取得したコンテンツを構成するコンテンツ付属情報（イ）とＡＶファイル（ロ）をコンテンツ取得処理手段１０２に送信する。
【００３２】
コンテンツ取得処理手段１０２は、ネットワークＩ／Ｆ１０１から取得したコンテンツ付属情報（イ）とＡＶファイル（ロ）を、メディア格納手段（表示せず）に格納されたＳＤカード１０３に記録するとともに、表示制限情報保持手段１０４に対して、ＡＶファイル（ロ）に対応するコンテンツ付属情報（イ）に含まれる視聴制限用情報（以下、制限用情報と称す）（ハ）を送信して保持させる。
【００３３】
表示手段１０５は、表示制限情報保持手段１０４に保持されている該当するＡＶファイル（ロ）に対応する制限用情報（ハ）に基づき、該当するＡＶファイル（ロ）の表示可否を判断し、ユーザに対して、表示制限が不要なＡＶファイル（ロ）については、ＳＤカード１０３から出力されたＡＶファイル（ロ）の表示を行い、表示制限が必要なＡＶファイル（ロ）については表示を制限する。
【００３４】
メディア状態確認手段１０６は、ＳＤカード１０３がメディア格納手段（図示せず）に格納されているか否かを示すメディア状態情報（ニ）を所定のタイミングで確認し、ＳＤカード１０３が格納されていることを検知した場合は、格納されているＳＤカード１０３からメディアの識別情報であるメディアＩＤ（ＩＤｅｎｔｉｆｉｃａｔｉｏｎ）情報（ホ）を取得して表示制限情報保持手段１０４に通知する。
【００３５】
表示条件設定手段１０７は、ユーザから、ＡＶファイル（ロ）の表示を許可、または表示を制限するための表示条件の設定を受け付け、表示手段１０５において表示可能な条件を設定する。
【００３６】
ここで、コンテンツ付属情報（イ）は、ＡＶファイル（ロ）の再生や表示を行うために必要な情報で構成され、特に、ＡＶファイル（ロ）に対する視聴可能条件であるパレンタル情報と、コンテンツを一意に特定するためのコンテンツの識別情報であるコンテンツＩＤ情報を含んでいる。本発明の実施の形態１においては、パレンタル情報には、視聴年齢についての条件が含まれているものとする。
【００３７】
また、制限用情報（ハ）は、パレンタル情報とコンテンツＩＤ情報からなる情報であり、メディアＩＤ情報（ホ）は、メディアを一意に識別可能なメディア固有のＩＤ情報である。
【００３８】
また、表示制限情報保持手段１０４は、コンテンツ取得処理手段１０２から制限用情報（ハ）を受け取った際に、ＳＤカード１０３からメディアＩＤ情報（ホ）を取得して、制限用情報（ハ）とメディアＩＤ情報（ホ）を組み合わせた制限用情報テーブル（ト）として保持する。なお、制限用情報テーブル（ト）については後述する。
【００３９】
さらに、表示制限情報保持手段１０４は、メディア状態確認手段１０６からメディアＩＤ情報（ホ）を受け取ると、制限用情報テーブル（ト）の内容を確認し、メディア状態確認手段１０６から受け取ったメディアＩＤ情報（ホ）と、制限用情報テーブル（ト）内に保持されているメディアＩＤ情報を比較してＩＤ情報が異なる場合は、その制限用情報テーブル（ト）を破棄（削除）する。
【００４０】
なお、メディア状態確認手段１０６がメディア状態情報（ニ）を確認するタイミングは、メディア格納手段（表示せず）へのメディアの格納時および自装置における電源遮断後の電源再起動時とする。
【００４１】
また、表示条件設定手段１０７は、ユーザからのＡＶファイル（ロ）の表示を許可、または表示を制限するための表示条件の設定を受け付ける。
【００４２】
ここで、図２を用いて、制限用情報テーブル（ト）の構成の一例について説明する。なお、図２は、本発明の実施の形態１における制限用情報テーブルの構成の一例を示す図である。
【００４３】
図２において、制限用情報テーブル（ト）は、一つのメディアＩＤと、複数の制限用情報（ハ）、即ち、複数のコンテンツＩＤとパレンタル情報を組み合わせた情報からなる。
【００４４】
このように、制限用情報テーブル（ト）が複数の制限用情報（ハ）を保持することにより、一つのリムーバブル記録メディア内に複数のＡＶファイル（ロ）が記録される場合であっても、各々の制限用情報（ハ）に従ってパレンタル制御を行うことが可能となる。
【００４５】
次に、本発明の実施の形態１に係る視聴制限装置１００の動作について、図面を参照しながら説明する。
【００４６】
まず、図１を参照して、視聴制限装置１００の動作の概要について説明する。
【００４７】
図１において、視聴制限装置１００に対して、ユーザが所望するコンテンツの取得を要求すると、コンテンツ取得処理手段１０２は、インターネット（図示せず）およびネットワークＩ／Ｆ１０１を介して、コンテンツサーバ（図示せず）からコンテンツ付属情報（イ）およびＡＶファイル（ロ）の取得を行う。
【００４８】
コンテンツ取得処理手段１０２は、コンテンツ付属情報（イ）の取得が完了すると、取得したコンテンツ付属情報（イ）に含まれるコンテンツＩＤ情報とパレンタル情報からなる制限用情報（ハ）を、表示制限情報保持手段１０４に通知するとともに、コンテンツ付属情報（イ）およびＡＶファイル（ロ）の取得が完了すると、それらをＳＤカード１０３に送信して記録する。
【００４９】
表示制限情報保持手段１０４は、コンテンツ取得処理手段１０２から制限用情報（ハ）を受け取ると、ＳＤカード１０３から記録したＡＶファイル（ロ）のメディアＩＤ情報（ホ）を取得して、制限用情報テーブル（ト）に登録を行う。
【００５０】
上記一連の処理は、視聴制限装置１００がユーザから所望するコンテンツの取得要求を受け取る度に繰り返される。
【００５１】
以上のようにして、ＳＤカード１０３にコンテンツ付属情報（イ）およびＡＶファイル（ロ）が記録された状態において、ユーザからＳＤカード１０３に記録されているＡＶファイル（ロ）の中から、ユーザが所望するＡＶファイルαの表示（再生）指示を受けると、表示手段１０５は、表示制限情報保持手段１０４が保持している制限用情報テーブル（ト）に登録されている制限用情報（ハ）の内、ＡＶファイルαに関連するパレンタル情報の視聴年齢制限条件と、表示条件設定手段１０７に設定されている視聴年齢条件を比較して、ＡＶファイルαの表示制限、すなわち、ＡＶファイルαの表示を許可するか否かを判断して表示する。
【００５２】
ここで、パレンタルコンテンツが記録されているＳＤカード１０３（ＳＤカードａ）が取り外された後、別のＳＤカード１０３（ＳＤカードｂ）が挿入された場合について説明する。
【００５３】
ＳＤカードａがメディア格納手段（図示せず）から取り外され、替わってＳＤカードｂがメディア格納手段（図示せず）に格納されると、メディア状態確認手段１０６は、新たにＳＤカード１０３が格納されたことに伴ってメディア状態情報（ニ）を確認してＳＤカードｂが挿入されていることを検知すると、新たに挿入されたＳＤカードｂからメディアＩＤ情報（ホ）を取得して表示制限情報保持手段１０４に通知する。
【００５４】
表示制限情報保持手段１０４は、メディア状態確認手段１０６からＳＤカードｂのメディアＩＤ情報（ホ）を取得すると、保持している制限用情報テーブル（ト）を参照して、登録されているメディアＩＤ（この場合はＳＤカードａのメディアＩＤ）とメディア状態確認手段１０６から取得したメディアＩＤ（この場合はＳＤカードｂのメディアＩＤ）が異なる場合には、保持している制限用情報テーブル（ト）を破棄する。
【００５５】
なお、ＳＤカードａがメディア格納手段（図示せず）から一旦取り外された後、再びＳＤカードａがメディア格納手段（図示せず）に挿入された場合は、表示制限情報保持手段１０４は、保持している制限用情報テーブル（ト）に登録されているメディアＩＤ（この場合はＳＤカードａのメディアＩＤ）とメディア状態確認手段１０６から取得したメディアＩＤ（この場合はＳＤカードａのメディアＩＤ）が同一であるので、保持している制限用情報テーブル（ト）を破棄せず、引き続き保持する。
【００５６】
次に、図３を用いて、本発明の実施の形態１に係る視聴制限装置１００の処理動作について、より具体的に説明する。なお、図３は、本発明の実施の形態１に係る視聴制限装置の処理動作を示す図である。
【００５７】
図３において、ユーザは、表示条件設定手段１０７にパスコードを入力後、視聴年齢条件として「１５才まで視聴可能なコンテンツは表示する」という条件を設定した（Ｓ２００）後、コンテンツ取得処理手段１０２に対してダウンロード（ＤＬ：ＤｏｗｎＬｏａｄ）処理（コンテンツ取得処理）の開始を指示する（Ｓ２０１）。
【００５８】
コンテンツ取得処理手段１０２は、ダウンロードの処理を開始して、コンテンツ付属情報（イ）の取得を行い（Ｓ２０２）、ステップＳ２０２においてコンテンツ付属情報（イ）の取得が完了すると、コンテンツ付属情報（イ）に含まれるコンテンツＩＤ情報とパレンタル情報からなる制限用情報（ハ）を、表示制限情報保持手段１０４に通知する（Ｓ２０３）。ここで、コンテンツＩＤ情報の値は「ＣＲＩＤ１１１１１１１１」、パレンタル情報は「１８才以上視聴可」であるとする。
【００５９】
表示制限情報保持手段１０４は、コンテンツ取得処理手段１０２から制限用情報（ハ）を受け取ると、ＳＤカード１０３からメディアＩＤ情報の値として「ＡＡＡＡ」を取得（Ｓ２０４）して、これらの情報を制限用情報テーブル（ト）に登録する（Ｓ２０５）。
【００６０】
以上のような処理動作により、表示制限情報保持手段１０４において、図２に示される制限用情報テーブル（ト）が保持される。
【００６１】
表示制限情報保持手段１０４において制限用情報テーブル（ト）が保持された状態において、ユーザから、ＳＤカード１０３に記録されているＡＶファイル（ロ）の中から選択されたＡＶファイルαの表示指示（Ｓ２０６）を受け取ると、表示手段１０５は、表示制限情報保持手段１０４から制限用情報（ハ）を取得（Ｓ２０７）し、表示条件設定手段１０７からステップ２００においてユーザが設定した視聴年齢条件を取得（Ｓ２０８）した後、表示制限情報保持手段１０４から取得した制限用情報（ハ）に含まれるＡＶファイルαのパレンタル情報と、表示条件設定手段１０７から取得した視聴年齢条件を比較して、ＡＶファイルαの表示制限を行う（Ｓ２０９）。
【００６２】
本発明の実施の形態１の場合は、ＡＶファイルαのパレンタル情報は「１８才以上視聴可」であり、ユーザが表示条件設定手段１０７において設定した視聴年齢条件は「１５才まで視聴可能なコンテンツは表示する」であるので、表示手段１０５は、ＡＶファイルαの表示を制限し、表示を許可しない。
【００６３】
以上のような処理動作を行うことにより、ＳＤカード１０３に記録されているＡＶファイルにパレンタル情報を多重化して保持させることなく、パレンタル制御を実現することが可能となる。
【００６４】
続いて、コンテンツ取得処理手段１０２は、コンテンツ付属情報（イ）の取得を行うとともに、ＡＶファイル（ロ）の取得を行う（Ｓ２１０）。コンテンツ付属情報（イ）およびＡＶファイル（ロ）の取得が完了すると、それらをＳＤカード１０３に記録する（Ｓ２１１）。
【００６５】
このような状態において、パレンタルコンテンツが記録されているＳＤカード１０３がメディア格納手段（図示せず）から取り外された（Ｓ２１２）後、別のＳＤカード３０３がメディア格納手段（図示せず）に挿入される（Ｓ２１３）と、メディア状態確認手段１０６は、新たにメディアが格納されたことに伴ってメディア状態情報（ニ）を確認（Ｓ２１４）し、新たにＳＤカード３０３が挿入されたことを検知すると、新たに挿入されたＳＤカード３０３からメディアＩＤ情報（ホ）を取得し、取得したＳＤカード３０３のメディアＩＤ情報の値「ＢＢＢＢ」を表示制限情報保持手段１０４に通知する（Ｓ２１５）。
【００６６】
表示制限情報保持手段１０４は、メディア状態確認手段１０６から通知されたメディアＩＤ情報の値である「ＢＢＢＢ」と、制限用情報テーブル（ト）に登録されたメディアＩＤ情報の値「ＡＡＡＡ」とを比較し（Ｓ２１６）、メディアＩＤ情報の値が異なると判断して、保持している制限用情報テーブル（ト）を破棄（削除）する（Ｓ２１７）。
【００６７】
なお、表示制限情報保持手段１０４は、保持している制限用情報テーブル（ト）を削除すると、メディア格納手段（表示せず）に新たに格納されたＳＤカード３０３にパレンタルコンテンツが記録されている場合、メディアＩＤ情報のみならず記録されている各ＡＶファイル（ロ）のコンテンツ付属情報を取得して各コンテンツＩＤ情報に対応するパレンタル情報を抽出し、ＳＤカード３０３に対応した制限用情報テーブル（ト）を生成してもよく、その場合、視聴制限装置１００は、表示制限情報保持手段１０４において新たに生成されたＳＤカード３０３に対応する制限用情報テーブル（ト）と、表示条件設定手段１０７において設定されている視聴制限条件（例えば、視聴年齢条件）とを基に、ＳＤカード３０３に記録されているＡＶファイル（コンテンツ）の視聴制限を行ってもよい。
【００６８】
以上のように、制限用情報テーブル（ト）の削除条件を、別のＳＤカードが挿入された場合とすることにより、メディア毎に制限用情報テーブル（ト）を保持する、あるいは削除するといった複雑な管理を必要とせずに、パレンタルコンテンツを記録したＳＤカードが適切な管理者に回収されるまでの間に、該パレンタルコンテンツが誤って表示（再生）されてしまうことを回避することができる。
【００６９】
なお、本発明の実施の形態１においては、制限用情報テーブル（ト）を削除するタイミングとして、別のＳＤカード（メモリ）が挿入された場合を例に挙げて説明したが、例えば、制限用情報テーブル（ト）をＲＡＭ（Ｒａｎｄｏｍ  Ａｃｃｅｓｓ  Ｍｅｍｏｒｙ）メモリなどの揮発性領域に格納して電源遮断時に削除されるようにすることも可能であり、本発明の実施の形態１においては特にこれを制限するものではない。
【００７０】
しかし、そのような電源遮断のタイミングで制限用情報テーブル（ト）の削除を行った場合、パレンタルコンテンツが記録されたＳＤカード１０３を挿入したまま電源遮断後に再度起動された後には、パレンタルコンテンツが表示されてしまうことになる。このため、制限用情報テーブル（ト）の削除条件を別のＳＤカード３０３が挿入された場合とすることは、パレンタルコンテンツの表示制限（表示条件）を守る上で好適なタイミングである。
【００７１】
また、メディア状態確認手段１０６がメディア状態情報（ニ）を確認する他のタイミングとして、自装置における電源遮断後の電源再起動時とする理由は、自装置における電源が遮断状態にある間に、ＳＤカード１０３がＳＤカードａから別のＳＤカードｂに入れ替えられた場合において、表示制限情報保持手段１０４に保持されている制限用情報（ハ）の保持が不要となったタイミングで削除を行うためであり、これにより、不要なデータ管理を最小限に抑えることができるためである。
【００７２】
次に、図４を用いて、パレンタルコンテンツが記録されているＳＤカード（リムーバブル記録メディア）１０３がメディア格納手段（図示せず）から取り外された後、再び同一のＳＤカード（リムーバブル記録メディア）１０３がメディア格納手段（図示せず）に挿入された場合の、視聴制限装置１００における処理動作について説明する。なお、図４は、本発明の実施の形態１に係る視聴制限装置においてＳＤカードが取り外された後、再び同一のＳＤカードが挿入された場合の処理動作を示す図である。
【００７３】
図４において、ステップＳ２００〜ステップＳ２０５およびステップＳ２１０〜ステップＳ２１１の処理動作については、図３を用いて説明した本発明の実施の形態１に係る視聴制限装置１００の処理動作と同じであるので、同じステップ番号を付してここでは説明を省略する。
【００７４】
パレンタルコンテンツが記録されているＳＤカード１０３がメディア格納手段（図示せず）から取り外された（Ｓ４００）後、再び同一のＳＤカード１０３が挿入される（Ｓ４０１）と、メディア状態確認手段１０６は、新たにメディアが挿入されたことに伴ってメディア状態情報（ニ）を確認（Ｓ４０２）し、新たにＳＤカード１０３が挿入されたことを検知すると、新たに挿入されたＳＤカード１０３からメディアＩＤ情報（ホ）を取得し、取得したＳＤカード１０３のメディアＩＤ情報の値「ＡＡＡＡ」を表示制限情報保持手段１０４に通知する（Ｓ４０３）。
【００７５】
表示制限情報保持手段１０４は、メディア状態確認手段１０６から通知されたメディアＩＤ情報の値である「ＡＡＡＡ」と、制限用情報テーブル（ト）に登録されているメディアＩＤ情報の値「ＡＡＡＡ」とを比較し（Ｓ４０４）、メディアＩＤ情報の値が同じであると判断して、保持している制限用情報テーブル（ト）の保持を継続する（Ｓ４０５）。
【００７６】
このようにして、再び同一のＳＤカード１０３が挿入され、表示制限情報保持手段１０４が保持していた制限用情報テーブル（ト）を継続して保持する状態において、ユーザからＳＤカード１０３に記録されているＡＶファイル（ロ）の中から、ユーザが所望するＡＶファイルβの表示（再生）指示を受ける（Ｓ４０６）と、表示手段１０５は、表示制限情報保持手段１０４から、表示制限情報保持手段１０４が継続して保持している制限用情報テーブル（ト）に登録されている制限用情報（ハ）の内、ＡＶファイルβに関連するパレンタル情報の視聴年齢制限条件を取得する（Ｓ４０７）とともに、表示条件設定手段１０７から、ステップＳ２００においてユーザにより設定された視聴年齢条件を取得（Ｓ４０８）し、これらの取得した視聴年齢制限条件と視聴年齢条件を比較して、ＡＶファイルβの表示制限、すなわち、ＡＶファイルβの表示を許可するか否かを判断する（Ｓ４０９）。
【００７７】
本発明の実施の形態１の場合は、ＡＶファイルβのパレンタル情報は「１８才以上視聴可」であり、視聴年齢条件は「１５才まで視聴可能なコンテンツは表示する」であるので、表示手段１０５は、ＡＶファイルβの表示を制限し、表示を許可しないということになる。
【００７８】
以上のように、視聴制限装置１００からパレンタルコンテンツが記録されているリムーバブル記録メディア（ＳＤカード１０３）を取り出した後に、再び同一のリムーバブル記録メディア（ＳＤカード１０３）を挿入した場合でも、パレンタル制御を継続して実行することが可能である。したがって、同一リムーバブル記録メディア（ＳＤカード１０３）をその場で抜き挿しした場合においても、パレンタルコンテンツ（パレンタルＡＶファイル）の表示を制限することが可能である。
【００７９】
次に、図５を用いて、複数のパレンタルＡＶファイル（ロ）をダウンロードしてリムーバブル記録メディア（ＳＤカード１０３）に記録した後、それらのＡＶファイル（ロ）に関してパレンタル制御を行う場合の視聴制限装置１００における処理動作について説明する。なお、図５は、本発明の実施の形態１に係る視聴制限装置において複数のパレンタルＡＶファイルをダウンロードしてＳＤカードに記録した後のパレンタル制御の処理動作を示す図である。
【００８０】
図５において、ステップＳ２００〜ステップＳ２０５およびステップＳ２１０〜ステップＳ２１１の処理動作については、図３を用いて説明した本発明の実施の形態１に係る視聴制限装置１００の処理動作と同じであるので、同じステップ番号を付してここでは説明を省略する。
【００８１】
コンテンツ取得処理手段１０２が、コンテンツ付属情報（イ）およびＡＶファイル（ロ）の取得を完了し、それらをＳＤカード１０３に記録した（Ｓ２１１）後、さらに、ユーザは、視聴制限装置１００に対して、別のＡＶファイル（ここでのＡＶファイルを（リ）とする）のダウンロード処理の開始を指示（Ｓ５０１）し、指示を受けた視聴制限装置１００は、コンテンツ取得処理手段１０２においてダウンロード処理を開始する。
【００８２】
コンテンツ取得処理手段１０２は、コンテンツ付属情報（ここでのコンテンツ付属情報を（チ）とする）の取得を行い（Ｓ５０２）、取得が完了するとコンテンツ付属情報（チ）に含まれるコンテンツＩＤ情報とパレンタル情報からなる制限用情報（ここでの制限用情報を（ヌ）とする）を、表示制限情報保持手段１０４に通知する（Ｓ５０３）。ここで、コンテンツＩＤ情報の値は「ＣＲＩＤ２２２２２２２２」、パレンタル情報は「１５才以上視聴可」であるとする。
【００８３】
表示制限情報保持手段１０４は、コンテンツ取得処理手段１０２から制限用情報（ヌ）の通知を受けると、ＳＤカード１０３からメディアＩＤ情報の値として「ＡＡＡＡ」を取得（Ｓ５０４）して、制限用情報テーブル（ル）に登録を行う（Ｓ５０５）。
【００８４】
以上のような処理を行うことにより、表示制限情報保持手段１０４には、図６に示されるような制限用情報テーブル（ル）が保持される。なお、図６は、本発明の実施の形態１における制限用情報テーブルの構成の他の例を示す図である。
【００８５】
コンテンツ取得処理手段１０２は、ＡＶファイル（リ）の取得を行い（Ｓ５０６）、コンテンツ付属情報（チ）およびＡＶファイル（リ）の取得が完了すると、それらをＳＤカード１０３に送信して記録する（Ｓ５０７）。
【００８６】
以上のように、少なくとも２つのパレンタルＡＶファイル（ロ）およびパレンタルＡＶファイル（リ）をダウンロードしてＳＤカード１０３に記録した後に、ユーザから、ＳＤカード１０３に記録されているＡＶファイルの中から、所望するパレンタルＡＶファイル（リ）に対応するＡＶファイルγの表示指示を受ける（Ｓ５０８）と、表示手段１０５は、表示制限情報保持手段１０４から、ステップＳ２０５およびステップＳ５０５において登録した制限用情報（ハ）および制限用情報（ヌ）を取得する（Ｓ５０９）とともに、表示条件設定手段１０７から、ステップＳ２００においてユーザが設定した視聴年齢条件を取得する（Ｓ５１０）。
【００８７】
表示手段１０５は、表示制限情報保持手段１０４から取得した制限用情報（ハ）および制限用情報（ヌ）に含まれるパレンタル情報と、表示条件設定手段１０７から取得した視聴年齢条件を比較して、ＡＶファイルγの表示制限を行う（Ｓ５１１）。
【００８８】
本発明の実施の形態１の場合は、コンテンツＩＤ「ＣＲＩＤ１１１１１１１１」を有するコンテンツのパレンタル情報は「１８才以上視聴可」であり、コンテンツＩＤ「ＣＲＩＤ２２２２２２２２」を有するコンテンツのパレンタル情報は「１５才以上視聴可」であり、視聴年齢条件は「１５才まで視聴可能なコンテンツは表示する」であるので、表示手段１０５は、ＡＶファイルγのコンテンツＩＤが「ＣＲＩＤ１１１１１１１１」の場合には、ＡＶファイルγの表示を制限し、ＡＶファイルγのコンテンツＩＤが「ＣＲＩＤ２２２２２２２２」の場合には、ＡＶファイルγを表示する。
【００８９】
このように、同一のＳＤカード１０３に複数のパレンタルコンテンツが記録される場合においても、各々のパレンタル情報に基づいた表示制限を行うことが可能である。
【００９０】
なお、本発明の実施の形態１においては、リムーバブル記録メディアとしてＳＤカードを例に挙げて説明したが、これに限定されるものではなく、例えば、ＢＤ（Ｂｌｕ−ｒａｙ  Ｄｉｓｃ）、メモリースティック、ｉＶＤＲ（ｉｎｆｏｒｍａｔｉｏｎ  Ｖｅｒｓａｔｉｌｅ  Ｄｉｓｋ  ｆｏｒ  Ｒｅｍｏｖａｂｌｅ）等、他の一般的なリムーバブル記録メディアであってもかまわない。
【００９１】
また、本発明の実施の形態１においては、視聴制限装置１００としてレコーダ機器を例に挙げて説明したが、これに限定されるものではなく、例えば、コンテンツ記録機能を有するデジタルＴＶ等であってもかまわない。
【００９２】
また、本発明の実施の形態１においては、制限用情報テーブル（ト）の削除条件を、ユーザにより表示条件設定手段１０７で表示条件の変更が行われ、「パレンタル制御不要」という条件が設定された場合としてもよい。
【００９３】
また、本発明は、本発明の実施の形態１における各手段を備える視聴制限装置として提供することができるばかりでなく、視聴制限装置が備える各手段を各ステップとする視聴制限方法、およびその視聴制限方法をコンピュータに実行させる視聴制限プログラムを提供することも可能である。そして、その視聴制限プログラムは、ＣＤ−ＲＯＭ（Ｃｏｍｐａｃｔ  Ｄｉｓｃ−Ｒｅａｄ  Ｏｎｌｙ  Ｍｅｍｏｒｙ）などの記録媒体やインターネットを介して流通させることができる。
【産業上の利用可能性】
【００９４】
本発明の視聴制限装置は、複雑な回路実装や処理負荷の増加を伴わずに、リムーバブル記録メディアに記録されているコンテンツに対するパレンタル制御が可能であるという効果を有し、パレンタルコンテンツに対する表示制御装置として有用である。
【符号の説明】
【００９５】
１００  視聴制限装置
１０１  ネットワークＩ／Ｆ
１０２  コンテンツ取得処理手段
１０３  ＳＤカード
１０４  表示制限情報保持手段
１０５  表示手段
１０６  メディア状態確認手段
１０７  表示条件設定手段
３０３  ＳＤカード
【図１】
2011097211.tif 000003
【図２】
2011097211.tif 000004
【図３】
2011097211.tif 000005
【図４】
2011097211.tif 000006
【図５】
2011097211.tif 000007
【図６】
2011097211.tif 000008